(57)【要約】【課題】  使用者により入力される音声を認識するためにＰＴＴ端末が使用する資源を最小化できる、ＰＴＴサービスのための移動通信端末機の発言権管理装置及び方法を提供する。【解決手段】  音声認識プロセッサを有するＰＴＴ端末に、マイクから音声が入力されるとトリガ信号を発生する音声活性検出器を含ませて、音声認識プロセッサを、入力される音声によりトリガ信号が発生する時点から所定時間駆動して、入力される音声を確認する。ここで、入力される音声が発言権の要求又は解除に関する音声であると、ＰＴＴ端末のメインプロセッサ部が発言権要求メッセージ又は発言権解除メッセージをＰＴＴサーバーに転送する。【選択図】  図１
2006042345.tif 000002
【特許請求の範囲】
【請求項１】
ＰＴＴ（Ｐｕｓｈ  Ｔｏ  Ｔａｌｋ）サービスのための移動通信端末機において、
マイクから音声が入力されるとトリガ信号を発生する音声活性検出器と、
前記トリガ信号を検出して音声認識プロセッサの動作を制御し、音声認識結果によって発言権及び音声通話を制御するメインプロセッサ部と、
前記マイクから入力される音声を一時的に保存するバッファと、
を含むことを特徴とする発言権管理装置。
【請求項２】
前記音声活性検出器は、音声が入力されると、ローからハイ又はハイからローにトリガされる信号を発生することを特徴とする請求項１に記載の発言権管理装置。
【請求項３】
前記メインプロセッサ部は、前記入力された音声が発言権を要求するために設定された音声であると、発言権要求メッセージをＰＴＴサーバーに転送し、前記入力された音声が発言権を解除するために設定された音声であると、発言権解除メッセージをＰＴＴサーバーに転送することを特徴とする請求項１に記載の発言権管理装置。
【請求項４】
前記バッファが、先入れ先出し（Ｆｉｒｓｔ  Ｉｎ  Ｆｉｒｓｔ  Ｏｕｔ；ＦＩＦＯ）方式で動作することを特徴とする請求項１に記載の発言権管理装置。
【請求項５】
メインプロセッサ部がマイクから入力される音声により発生したトリガ信号を検出する過程と、
前記メインプロセッサ部が音声認識プロセッサを動作させて前記入力された音声を確認する過程と、
前記入力された音声が発言権に関する音声であると、前記メインプロセッサ部が該当発言権に関するメッセージをＰＴＴサーバーに転送する過程と、
を含むことを特徴とするＰＴＴサービスのための移動通信端末機の発言権管理方法。
【請求項６】
前記入力された音声を確認する過程は、
前記メインプロセッサ部が、前記音声認識プロセッサを前記トリガ信号の発生時点から所定時間動作させて前記音声を確認した後、前記音声認識プロセッサを終了する過程をさらに含むことを特徴とする請求項５に記載のＰＴＴサービスのための移動通信端末機の発言権管理方法。
【請求項７】
前記発言権に関するメッセージを転送する過程は、
前記入力された音声が発言権を要求するために設定された音声であると、前記メインプロセッサ部が発言権要求メッセージを前記ＰＴＴサーバーに転送する過程と、
前記入力された音声が発言権を解除するために設定された音声であると、前記メインプロセッサ部が発言権解除メッセージを前記ＰＴＴサーバーに転送する過程と、
を含むことを特徴とする請求項５に記載のＰＴＴサービスのための移動通信端末機の発言権管理方法。
【請求項８】
前記トリガ信号が、ローからハイ又はハイからローにトリガされることを特徴とする請求項５に記載のＰＴＴサービスのための移動通信端末機の発言権管理方法。
【請求項９】
マイクから音声が入力されると、音声活性検出器がトリガ信号を発生する過程と、
前記トリガ信号を検出したメインプロセッサ部が、音声認識プロセッサを所定時間駆動して前記入力された音声を確認する過程と、
前記音声が発言権を要求する音声であると、前記メインプロセッサ部が発言権要求メッセージをＰＴＴサーバーに転送する過程と、
前記音声が発言権を解除する音声であると、前記メインプロセッサ部が発言権解除メッセージを前記ＰＴＴサーバーに転送する過程と、
を含むことを特徴とするＰＴＴサービスのための移動通信端末機の発言権管理方法。
【請求項１０】
前記トリガ信号が、ローからハイ又はハイからローにトリガされることを特徴とする請求項９に記載のＰＴＴサービスのための移動通信端末機の発言権管理方法。
【請求項１１】
前記音声認識プロセッサを駆動する時間が、前記発言権を要求する音声又は前記発言権を解除する音声を発音するに十分な時間であることを特徴とする請求項９に記載のＰＴＴサービスのための移動通信端末機の発言権管理方法。
【請求項１２】
前記発言権を要求する音声が、「要求」、「開始」、又は使用者により設定される他の音声の少なくとも１つであることを特徴とする請求項９に記載のＰＴＴサービスのための移動通信端末機の発言権管理方法。
【請求項１３】
前記発言権を解除する音声が、「解除」、「終了」、又は使用者により設定される他の音声の少なくとも１つであることを特徴とする請求項９に記載のＰＴＴサービスのための移動通信端末機の発言権管理方法。
【請求項１４】
発言権が獲得されると、前記メインプロセッサ部が、前記マイクから入力される使用者の音声を前記ＰＴＴサーバーに転送すると共にバッファに保存する過程をさらに含むことを特徴とする請求項９に記載のＰＴＴサービスのための移動通信端末機の発言権管理方法。
【請求項１５】
前記バッファが、先入れ先出し（ＦＩＦＯ）方式で動作することを特徴とする請求項１４に記載のＰＴＴサービスのための移動通信端末機の発言権管理方法。
【請求項１６】
メインプロセッサ部が入力された音声により音声活性検出器から発生したトリガ信号を検出する過程と、
前記メインプロセッサ部が音声認識プロセッサを駆動して前記入力された音声を確認した後、前記音声認識プロセッサを終了する過程と、
前記入力された音声が発言権を要求するための音声であると、前記メインプロセッサ部が発言権要求メッセージをＰＴＴサーバーに転送する過程と、
発言権が獲得されると、前記メインプロセッサ部が前記入力された音声を前記ＰＴＴサーバーに転送しバッファに保存する過程と、
前記音声活性検出器からトリガ信号が発生すると、前記メインプロセッサ部が前記音声認識プロセッサを駆動して前記入力された音声を確認した後、前記音声認識プロセッサを終了する過程と、
前記入力された音声が発言権を解除するための音声であると、前記メインプロセッサが発言権解除メッセージを前記ＰＴＴサーバーに転送する過程と、
を含むことを特徴とするＰＴＴサービスのための移動通信端末機の発言権管理方法。
【請求項１７】
前記入力された音声により発生したトリガ信号が、ローからハイにトリガされる信号であることを特徴とする請求項１６に記載のＰＴＴサービスのための移動通信端末機の発言権管理方法。
【請求項１８】
前記発言権が獲得された場合、発生するトリガ信号は、使用者が音声の入力を所定時間停止すると、ハイからローにトリガされる信号であることを特徴とする請求項１６に記載のＰＴＴサービスのための移動通信端末機の発言権管理方法。
【請求項１９】
前記バッファが、先入れ先出し（ＦＩＦＯ）方式で動作することを特徴とする請求項１６に記載のＰＴＴサービスのための移動通信端末機の発言権管理方法。
【請求項２０】
前記バッファが、前記発言権を解除するための音声を保存できる程度のサイズを有することを特徴とする請求項１６に記載のＰＴＴサービスのための移動通信端末機の発言権管理方法。
【発明の詳細な説明】
【技術分野】
【０００１】
本発明は、移動通信端末機に関し、特に、ＰＴＴ（Ｐｕｓｈ  Ｔｏ  Ｔａｌｋ）サービスのための移動通信端末機において、音声の検出及び認識を利用して発言権を管理する装置及び方法に関する。
【背景技術】
【０００２】
ＰＴＴサービスとは、一人の使用者のみに発言権が与えられる半二重通信であって、使用者の選択によって一対一又は一対グループ通話を提供する。
【０００３】
前記一対グループ通話は、多数の通話相手を対象にＰＴＴサービスを実現するもので、特定の使用者が多数の使用者又はグループを選択してＰＴＴキーを押すと、ＰＴＴサーバーにより、ＰＴＴサービスのための移動通信端末機（以下、ＰＴＴ端末という）間にセッションが作成され、前記選択された全ての使用者はセッションに参加して音声データを送受信できるようになる。
【０００４】
前記セッションが設定された全てのＰＴＴ端末は、ＰＴＴ通信が可能であるが、音声データを転送するためには発言権を獲得しなければならず、前記ＰＴＴサーバーは、前記セッションに参加した使用者のうち一人の使用者のみが音声データを転送できるように発言権を管理する。
【０００５】
従来、使用者が発言権を要求するか、又は自分に与えられた発言権を解除するためには、前記ＰＴＴ端末に設定されたＰＴＴキーを押したり放したりする一連の動作を行わなければならないため、使用者が手を使用できない場合や前記の動作を数回行う場合に手間がかかるという問題があった。
【０００６】
前記の問題は、前記発言権を要求及び解除する過程を、前記ＰＴＴキーの操作ではなく、音声認識を利用して行うことにより解決することができる。即ち、発言権を要求する場合と発言権を解除する場合に使用するために予め設定した単語を、使用者がＰＴＴ端末に音声で入力すると、ＰＴＴ端末は、入力された音声を認識して発言権を要求する音声であるか解除する音声であるかを確認し、確認結果によって、発言権要求メッセージ又は発言権解除メッセージをＰＴＴサーバーに転送する。
【発明の開示】
【発明が解決しようとする課題】
【０００７】
しかしながら、このように音声認識を利用して発言権を管理する場合、ＰＴＴ端末は、使用者から入力される音声を正確に認識するために、電源を含む多くの資源を必要とする。即ち、限られた資源を使用するＰＴＴ端末において、マイクからの音声入力を持続的に監視するために電源が必要であり、前記マイクから入力される音声を正確に認識するために音声認識のための各種ソフトウェア又はハードウェア的なプロセッサが必要であるため、多くの資源を浪費して非効率的であるという問題があった。
【０００８】
本発明は、このような従来技術の問題を解決するためになされたもので、使用者により入力される音声を認識するためにＰＴＴ端末が使用する資源を最小化できる、ＰＴＴサービスのための移動通信端末機の発言権管理装置及び方法を提供することを目的とする。
【課題を解決するための手段】
【０００９】
このような目的を達成するために、本発明によるＰＴＴサービスのための移動通信端末機の発言権管理装置は、マイクから音声が入力されるとトリガ信号を発生する音声活性検出器と、前記トリガ信号を検出して音声認識プロセッサの動作を制御し、音声認識結果によって発言権及び音声通話を制御するメインプロセッサ部と、前記マイクから入力される音声を一時的に保存するバッファとを含むことを特徴とする。
【００１０】
さらに、本発明によるＰＴＴサービスのための移動通信端末機の発言権管理方法は、メインプロセッサ部がマイクから入力される音声により発生したトリガ信号を検出する過程と、前記メインプロセッサ部が音声認識プロセッサを動作させて前記入力された音声を確認する過程と、前記入力された音声が発言権に関する音声であると、前記メインプロセッサ部が該当発言権に関するメッセージをＰＴＴサーバーに転送する過程とを含むことを特徴とする。
【００１１】
また、本発明によるＰＴＴサービスのための移動通信端末機の発言権管理方法は、マイクから音声が入力されると、音声活性検出器がトリガ信号を発生する過程と、前記トリガ信号を検出したメインプロセッサ部が、音声認識プロセッサを所定時間駆動して前記入力された音声を確認する過程と、前記音声が発言権を要求する音声であると、前記メインプロセッサ部が発言権要求メッセージをＰＴＴサーバーに転送する過程と、前記音声が発言権を解除する音声であると、前記メインプロセッサ部が発言権解除メッセージを前記ＰＴＴサーバーに転送する過程とを含むことを他の特徴とする。
【００１２】
また、本発明によるＰＴＴサービスのための移動通信端末機の発言権管理方法は、メインプロセッサ部が入力された音声により音声活性検出器から発生したトリガ信号を検出する過程と、前記メインプロセッサ部が音声認識プロセッサを駆動して前記入力された音声を確認した後、前記音声認識プロセッサを終了する過程と、前記入力された音声が発言権を要求するための音声であると、前記メインプロセッサ部が発言権要求メッセージをＰＴＴサーバーに転送する過程と、発言権が獲得されると、前記メインプロセッサ部が前記入力された音声を前記ＰＴＴサーバーに転送しバッファに保存する過程と、前記音声活性検出器からトリガ信号が発生すると、前記メインプロセッサ部が前記音声認識プロセッサを駆動して前記入力された音声を確認した後、前記音声認識プロセッサを終了する過程と、前記入力された音声が発言権を解除するための音声であると、前記メインプロセッサが発言権解除メッセージを前記ＰＴＴサーバーに転送する過程とを含むことをさらに他の特徴とする。
【００１３】
上記目的を達成するために、本発明は、例えば、以下の手段を提供する。
（項目１）
ＰＴＴ（Ｐｕｓｈ  Ｔｏ  Ｔａｌｋ）サービスのための移動通信端末機において、
マイクから音声が入力されるとトリガ信号を発生する音声活性検出器と、
前記トリガ信号を検出して音声認識プロセッサの動作を制御し、音声認識結果によって発言権及び音声通話を制御するメインプロセッサ部と、
前記マイクから入力される音声を一時的に保存するバッファと、
を含むことを特徴とする発言権管理装置。
（項目２）
前記音声活性検出器は、音声が入力されると、ローからハイ又はハイからローにトリガされる信号を発生することを特徴とする項目１に記載の発言権管理装置。
（項目３）
前記メインプロセッサ部は、前記入力された音声が発言権を要求するために設定された音声であると、発言権要求メッセージをＰＴＴサーバーに転送し、前記入力された音声が発言権を解除するために設定された音声であると、発言権解除メッセージをＰＴＴサーバーに転送することを特徴とする項目１に記載の発言権管理装置。
（項目４）
前記バッファが、先入れ先出し（Ｆｉｒｓｔ  Ｉｎ  Ｆｉｒｓｔ  Ｏｕｔ；ＦＩＦＯ）方式で動作することを特徴とする項目１に記載の発言権管理装置。
（項目５）
メインプロセッサ部がマイクから入力される音声により発生したトリガ信号を検出する過程と、
前記メインプロセッサ部が音声認識プロセッサを動作させて前記入力された音声を確認する過程と、
前記入力された音声が発言権に関する音声であると、前記メインプロセッサ部が該当発言権に関するメッセージをＰＴＴサーバーに転送する過程と、
を含むことを特徴とするＰＴＴサービスのための移動通信端末機の発言権管理方法。
（項目６）
前記入力された音声を確認する過程は、
前記メインプロセッサ部が、前記音声認識プロセッサを前記トリガ信号の発生時点から所定時間動作させて前記音声を確認した後、前記音声認識プロセッサを終了する過程をさらに含むことを特徴とする項目５に記載のＰＴＴサービスのための移動通信端末機の発言権管理方法。
（項目７）
前記発言権に関するメッセージを転送する過程は、
前記入力された音声が発言権を要求するために設定された音声であると、前記メインプロセッサ部が発言権要求メッセージを前記ＰＴＴサーバーに転送する過程と、
前記入力された音声が発言権を解除するために設定された音声であると、前記メインプロセッサ部が発言権解除メッセージを前記ＰＴＴサーバーに転送する過程と、
を含むことを特徴とする項目５に記載のＰＴＴサービスのための移動通信端末機の発言権管理方法。
（項目８）
前記トリガ信号が、ローからハイ又はハイからローにトリガされることを特徴とする項目５に記載のＰＴＴサービスのための移動通信端末機の発言権管理方法。
（項目９）
マイクから音声が入力されると、音声活性検出器がトリガ信号を発生する過程と、
前記トリガ信号を検出したメインプロセッサ部が、音声認識プロセッサを所定時間駆動して前記入力された音声を確認する過程と、
前記音声が発言権を要求する音声であると、前記メインプロセッサ部が発言権要求メッセージをＰＴＴサーバーに転送する過程と、
前記音声が発言権を解除する音声であると、前記メインプロセッサ部が発言権解除メッセージを前記ＰＴＴサーバーに転送する過程と、
を含むことを特徴とするＰＴＴサービスのための移動通信端末機の発言権管理方法。
（項目１０）
前記トリガ信号が、ローからハイ又はハイからローにトリガされることを特徴とする項目９に記載のＰＴＴサービスのための移動通信端末機の発言権管理方法。
（項目１１）
前記音声認識プロセッサを駆動する時間が、前記発言権を要求する音声又は前記発言権を解除する音声を発音するに十分な時間であることを特徴とする項目９に記載のＰＴＴサービスのための移動通信端末機の発言権管理方法。
（項目１２）
前記発言権を要求する音声が、「要求」、「開始」、又は使用者により設定される他の音声の少なくとも１つであることを特徴とする項目９に記載のＰＴＴサービスのための移動通信端末機の発言権管理方法。
（項目１３）
前記発言権を解除する音声が、「解除」、「終了」、又は使用者により設定される他の音声の少なくとも１つであることを特徴とする項目９に記載のＰＴＴサービスのための移動通信端末機の発言権管理方法。
（項目１４）
発言権が獲得されると、前記メインプロセッサ部が、前記マイクから入力される使用者の音声を前記ＰＴＴサーバーに転送すると共にバッファに保存する過程をさらに含むことを特徴とする項目９に記載のＰＴＴサービスのための移動通信端末機の発言権管理方法。
（項目１５）
前記バッファが、先入れ先出し（ＦＩＦＯ）方式で動作することを特徴とする項目１４に記載のＰＴＴサービスのための移動通信端末機の発言権管理方法。
（項目１６）
メインプロセッサ部が入力された音声により音声活性検出器から発生したトリガ信号を検出する過程と、
前記メインプロセッサ部が音声認識プロセッサを駆動して前記入力された音声を確認した後、前記音声認識プロセッサを終了する過程と、
前記入力された音声が発言権を要求するための音声であると、前記メインプロセッサ部が発言権要求メッセージをＰＴＴサーバーに転送する過程と、
発言権が獲得されると、前記メインプロセッサ部が前記入力された音声を前記ＰＴＴサーバーに転送しバッファに保存する過程と、
前記音声活性検出器からトリガ信号が発生すると、前記メインプロセッサ部が前記音声認識プロセッサを駆動して前記入力された音声を確認した後、前記音声認識プロセッサを終了する過程と、
前記入力された音声が発言権を解除するための音声であると、前記メインプロセッサが発言権解除メッセージを前記ＰＴＴサーバーに転送する過程と、
を含むことを特徴とするＰＴＴサービスのための移動通信端末機の発言権管理方法。
（項目１７）
前記入力された音声により発生したトリガ信号が、ローからハイにトリガされる信号であることを特徴とする項目１６に記載のＰＴＴサービスのための移動通信端末機の発言権管理方法。
（項目１８）
前記発言権が獲得された場合、発生するトリガ信号は、使用者が音声の入力を所定時間停止すると、ハイからローにトリガされる信号であることを特徴とする項目１６に記載のＰＴＴサービスのための移動通信端末機の発言権管理方法。
（項目１９）
前記バッファが、先入れ先出し（ＦＩＦＯ）方式で動作することを特徴とする項目１６に記載のＰＴＴサービスのための移動通信端末機の発言権管理方法。
（項目２０）
前記バッファが、前記発言権を解除するための音声を保存できる程度のサイズを有することを特徴とする項目１６に記載のＰＴＴサービスのための移動通信端末機の発言権管理方法。
【発明の効果】
【００１４】
本発明によるＰＴＴサービスのための移動通信端末機の発言権管理装置及び方法においては、音声認識を利用して発言権を要求及び解除する場合、音声認識プロセッサの動作を開始及び終了する時点を定義することにより、持続的に音声を認識するためのプロセッサにより、電源及び不要なハードウェア資源の浪費を最小化するという効果がある。
【発明を実施するための最良の形態】
【００１５】
以下、添付の図面を参照して、発明によるＰＴＴサービスのための移動通信端末機の発言権管理装置及び方法の好ましい実施形態を説明する。
【００１６】
本発明によるＰＴＴ端末は、使用者によりマイクから音声が入力されるとトリガ信号を発生する音声活性検出器をさらに含む。即ち、本発明によるＰＴＴ端末においては、使用者により特定の音声が入力されると、前記音声活性検出器は、トリガ信号を発生し、メインプロセッサ部は、前記トリガ信号を検出した時点から前記入力された音声を認識するための一連の過程を行う。
【００１７】
本発明による発言権を要求及び解除する過程を使用者の音声で実現する方法において、使用者の音声を認識する音声認識プロセッサの開始又は終了時点、及び音声認識結果によって、ＰＴＴ端末がＰＴＴサーバーに発言権要求メッセージ又は発言権解除メッセージを転送する過程について説明する。
【００１８】
図１は、本発明によるＰＴＴ端末の構成を示すブロック図で、ＰＴＴ端末１００のマイク１０１から音声が入力されるとトリガ信号を発生する音声活性検出器１０２と、マイク１０１から入力された音声を符号化するか、又は通話相手の音声を復号化してスピーカー１０４に出力する音声変換部１０３と、高周波音声信号を送受信する高周波処理部１０６と、高周波処理部１０６を利用して通話及び音声認識を処理するメインプロセッサ部１０５と、メインプロセッサ部１０５の動作のための各種プログラム及びデータを保存するメモリ部１０７とを含む。
【００１９】
また、マイク１０１から入力される使用者の音声を認識するために一時的に保存するバッファ（図示せず）をさらに含む。このとき、前記バッファは、メインプロセッサ部１０５に含むこともでき、別個に存在することもでき、先に入力された音声が先に出力される先入れ先出し（Ｆｉｒｓｔ  Ｉｎ  Ｆｉｒｓｔ  Ｏｕｔ；以下、ＦＩＦＯという）方式で動作する。
【００２０】
図２Ａ及び図２Ｂは、本発明による発言権管理方法のフローを示す図で、ＰＴＴ端末が使用者の音声を認識して発言権を要求又は解除する方法を示す。
【００２１】
まず、音声認識を利用して発言権を要求及び解除するためには、使用者は、発言権を要求するために使用する所定の単語又は文章、及び発言権を解除するために使用する所定の単語又は文章を、ＰＴＴ端末に予め設定しなければならない。例えば、使用者は、発言権を要求するための単語又は文章を「要求」又は「開始」に設定し、発言権を解除するための単語又は文章を「解除」又は「終了」に設定する。
【００２２】
以下では、前記発言権を要求するための単語が「要求」又は「開始」に設定され、前記発言権を解除するための単語が「解除」又は「終了」に設定されたと仮定して説明する。
【００２３】
図２Ａ及び図２Ｂに示すように、ＰＴＴ端末１００のマイク１０１に使用者の音声が入力されると（Ｓ１１）、ＰＴＴ端末１００内の音声活性検出器１０２からトリガ信号が発生する（Ｓ１３）。このとき、音声認識プロセッサが動作していないＰＴＴ端末１００に使用者の音声が入力されると、音声活性検出器１０２はローからハイにトリガされた信号を発生する。
【００２４】
音声活性検出器１０２がローからハイにトリガされた信号を発生すると、メインプロセッサ部１０５は、音声認識プロセッサを動作させて、前記音声認識プロセッサによりマイク１０１から入力された使用者の音声を確認して終了する（Ｓ１５）。このとき、前記音声認識プロセッサは、使用者が特定の時間、即ち、使用者が「要求」又は「開始」の発音に要する時間だけ動作した後に終了する。
【００２５】
前記音声認識プロセッサにより確認された音声が「要求」、「開始」、又は使用者が発言権を要求するために設定した他の音声であると（Ｓ１７）、メインプロセッサ部１０５は、発言権要求メッセージをＰＴＴサーバー（図示せず）に転送する（Ｓ１９）。しかしながら、前記音声認識プロセッサにより確認された音声が「要求」、「開始」、又は使用者が発言権を要求するために設定した他の音声ではないと、メインプロセッサ部１０５は、発言権要求メッセージを転送しない。
【００２６】
ＰＴＴ端末１００がＰＴＴサーバーから発言権を獲得すると（Ｓ２１）、使用者によりマイク１０１から入力された音声は、メインプロセッサ部１０５により前記ＰＴＴサーバーに転送されると共に、バッファ（図示せず）に保存される（Ｓ２３）。ここで、前記バッファは、音声が入力されると、以前に入力された音声を削除して常に入力された最新の音声を保存するＦＩＦＯ方式で動作し、「解除」又は「終了」のように発言権を解除するために使用者が設定した音声を保存できる程度のサイズを有する。
【００２７】
即ち、ＰＴＴ端末１００が発言権を獲得した後、使用者の音声がマイク１０１から入力されると、音声活性検出器１０２は、ローからハイにトリガされる信号を発生し、メインプロセッサ部１０５は、音声認識プロセッサを動作させて前記入力された音声を確認する。また、前記入力された音声が「要求」、「開始」、「解除」、又は「終了」などではないと、前記音声認識プロセッサが所定時間動作するが、発言権要求メッセージ又は発言権解除メッセージは前記ＰＴＴサーバーに転送しない。これと同時に、ＰＴＴ端末１００のメインプロセッサ部１０５は、使用者の音声を前記ＰＴＴサーバーに転送し、前記バッファに保存する。
【００２８】
発言権を有する使用者が所定時間に音声を入力しないと、音声活性検出器１０２は、ハイからローにトリガされた信号を発生し（Ｓ２５）、メインプロセッサ部１０５は、音声認識プロセッサを動作させて前記バッファに保存されている最新の音声を確認して終了する（Ｓ２７）。
【００２９】
即ち、使用者が発言権を解除するために、「解除」、「終了」、又は使用者が発言権を解除するために設定した他の音声を入力し、所定時間に音声を入力しないと、音声活性検出器１０２は、ハイからローにトリガされた信号を発生する。メインプロセッサ部１０５は、前記トリガ信号の発生を感知し、前記音声認識プロセッサを動作させて前記バッファに保存された最新の音声を確認した後に終了する。このとき、前記音声認識プロセッサは、「解除」、「終了」、又は使用者が発言権を解除するために設定した他の音声の発音に要する時間だけ動作した後に終了する。
【００３０】
前記音声認識プロセッサにより確認された音声が「解除」、「終了」、又は使用者が発言権を解除するために設定した他の音声であると（Ｓ２９）、メインプロセッサ部１０５は、発言権解除メッセージを前記ＰＴＴサーバーに転送する（Ｓ３１）。しかしながら、前記音声認識プロセッサにより確認された音声が「解除」、「終了」、又は使用者が発言権を解除するために設定した他の音声ではないと、メインプロセッサ部１０５は、使用者が音声の入力を一時的に停止したと認識して、発言権解除メッセージを転送しない。また、発言権獲得状態を維持し、使用者により入力される音声を前記ＰＴＴサーバーに転送し、前記バッファに保存する過程を繰り返す。
【００３１】
本発明の特徴をまとめると次のとおりである。
【００３２】
第１に、発言権を要求する過程において、前記音声活性検出器がローからハイにトリガされる場合、前記音声認識プロセッサが動作し、マイクから入力された音声の認識結果が使用者が発言権を要求するために設定した音声であると、前記ＰＴＴ端末のメインプロセッサ部は、発言権要求メッセージを前記ＰＴＴサーバーに転送する。
【００３３】
第２に、発言権を獲得したＰＴＴ端末が使用者の音声をＰＴＴサーバーに転送する過程において、前記マイクから入力される使用者の音声は、前記ＰＴＴサーバーに転送されると共に前記ＰＴＴ端末のバッファに保存される。ここで、前記バッファは、使用者が発言権を解除するために設定した音声を前記音声認識プロセッサが確認できるように、前記発言権を解除するために設定した音声を保存できる程度のサイズを有し、入力された最新の音声を保存する。
【００３４】
第３に、発言権を解除する過程において、使用者が発言権を解除するために設定した音声を入力し、所定時間以上他の音声を入力しない場合、前記音声活性検出器がハイからローにトリガされ、前記音声認識プロセッサが動作する。前記音声認識プロセッサは、前記バッファに保存された最新の音声を確認して、前記バッファに保存された音声が前記使用者が発言権を解除するために設定した音声であると、前記ＰＴＴ端末のメインプロセッサ部は、発言権解除メッセージを前記ＰＴＴサーバーに転送する。
【００３５】
本発明において、前記音声認識プロセッサは、前記音声活性検出器がローからハイに、又はハイからローにトリガされる時点で動作を開始し、動作を開始した時点から所定時間、即ち、発言権を要求又は解除するために設定した音声の認識に要する時間だけ動作した後に終了する。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３７】
使用者により入力される音声を認識するためにＰＴＴ端末が使用する資源を最小化できる、ＰＴＴサービスのための移動通信端末機の発言権管理装置及び方法を提供する。
【００３８】
音声認識プロセッサを有するＰＴＴ端末に、マイクから音声が入力されるとトリガ信号を発生する音声活性検出器を含ませて、音声認識プロセッサを、入力される音声によりトリガ信号が発生する時点から所定時間駆動して、入力される音声を確認する。ここで、入力される音声が発言権の要求又は解除に関する音声であると、ＰＴＴ端末のメインプロセッサ部が発言権要求メッセージ又は発言権解除メッセージをＰＴＴサーバーに転送する。
【図面の簡単な説明】
【００３９】
【図１】本発明によるＰＴＴ端末の構成を示すブロック図である。
【図２Ａ】本発明による発言権管理方法のフローを示す図である。
【図２Ｂ】本発明による発言権管理方法のフローを示す図である。
【図１】
2006042345.tif 000003
【図２Ａ】
2006042345.tif 000004
【図２Ｂ】
2006042345.tif 000005